(57)【要約】【課題】異常が検出された保護継電器を、電力系統を停電することなく正常品に切替えることの可能な点検装置を提供する。【解決手段】電力系統の保護動作を実行する複数の保護継電器２、３、４を点検する保護継電器の点検装置であって、複数の保護継電器２、３、４のいずれかに異常があった場合、当該保護継電器２（３、４）が接続されている電力系統の重要度を判定し、上位回線や、非常用電源回路である重要回線と判定されると、当該保護継電器２（３、４）を切離し、バックアップ用保護継電器５に切替えることを特徴とする。【選択図】  図１
2011229257.tif 000002
【特許請求の範囲】
【請求項１】
電力系統の保護動作を実行する複数の保護継電器を点検する保護継電器の点検装置であって、
前記複数の保護継電器のいずれかに異常があった場合、当該保護継電器が接続されている前記電力系統の重要度を判定し、重要回線と判定されると、前記当該保護継電器を切離し、バックアップ用保護継電器に切替えることを特徴とする保護継電器の点検装置。
【請求項２】
前記重要回線とは、受電側となる上位回線であることを特徴とする請求項１に記載の保護継電器の点検装置。
【請求項３】
前記重要回線とは、非常用電源回路であることを特徴とする請求項１に記載の保護継電器の点検装置。
【請求項４】
前記点検は、時限動作、瞬時動作、復帰動作を行うことを特徴とする請求項１乃至請求項３のいずれか１項に記載の保護継電器の点検装置。
【発明の詳細な説明】
【技術分野】
【０００１】
本発明は、異常が検出された保護継電器が接続されている回線の重要度を判別し、バックアップ用保護継電器に切替えて給電を継続する保護継電器の点検装置に関する。
【背景技術】
【０００２】
従来、受変電設備に用いられる保護継電器においては、不良個所を早期に発見し事故を未然に防ぐため、所定時期に点検が行われている。点検時には、それぞれの保護継電器の整定表を確認しながら保護動作をチェックする自動点検装置が用いられている（例えば、特許文献１参照。）。
【先行技術文献】
【特許文献】
【０００３】
【特許文献１】特開昭６３−２４２１１８号公報  （第２ページ、第１図）
【発明の概要】
【発明が解決しようとする課題】
【０００４】
上記の従来の保護継電器の点検装置においては、次のような問題がある。  
点検中に異常が検出された場合、当該保護継電器が接続されている電力系統を停電し、正常品と交換していた。即ち、保護継電器の交換にあたっては、電力系統を一時、停電させる必要があった。なお、電力系統の停電を回避するため、保護継電器の系統を二重化するシステムがあるが、多額の費用が必要であった。
【０００５】
本発明は上記問題を解決するためになされたもので、電力系統を停電することなく、異常が検出された保護継電器を正常品に切替えることの可能な保護継電器の点検装置を提供することを目的とする。
【課題を解決するための手段】
【０００６】
上記目的を達成するために、本発明の保護継電器の点検装置は、電力系統の保護動作を実行する複数の保護継電器を点検する保護継電器の点検装置であって、前記複数の保護継電器のいずれかに異常があった場合、当該保護継電器が接続されている前記電力系統の重要度を判定し、重要回線と判定されると、前記当該保護継電器を切離し、バックアップ用保護継電器に切替えることを特徴とする。
【発明の効果】
【０００７】
本発明によれば、バックアップ用保護継電器を用いて点検を行い、異常が検出されると、バックアップ用保護継電器に切替えるようにしているので、電力系統を停電させることなく、保護機能を有して給電を継続することができる。
【図面の簡単な説明】
【０００８】
【図１】本発明の実施例に係る保護継電器の点検装置の構成を示す回路図。
【図２】本発明の実施例に係る保護継電器の点検装置が接続される電力系統図。
【図３】本発明の実施例に係る保護継電器の点検装置の全体動作を説明する図。
【図４】本発明の実施例に係る保護継電器の点検装置の異常時の動作を説明する図。
【発明を実施するための形態】
【０００９】
以下、図面を参照して本発明の実施例を説明する。
【実施例】
【００１０】
本発明の実施例に係る保護継電器の点検装置を図面を参照して説明する。図１は、本発明の実施例に係る保護継電器の点検装置の構成を示す回路図、図２は、本発明の実施例に係る保護継電器の点検装置が接続される電力系統図、図３は、本発明の実施例に係る保護継電器の点検装置の全体動作を説明する図、図４は、本発明の実施例に係る保護継電器の点検装置の異常時の動作を説明する図である。
【００１１】
図１に示すように、信号処理にＰＬＣを用いた制御装置１には、複数となる第１の保護継電器２、第２の保護継電器３、第ｎの保護継電器４が接続されている。また、バックアップ用保護継電器５が接続されている。
【００１２】
これらの保護継電器２、３、４、５には、切替装置６を介して、それぞれ第１、第２、第ｎの変成器７、８、９が接続されている。通常は、第１の保護継電器２に第１の変成器７、第２の保護継電器３に第２の変成器８、第ｎの保護継電器４に第ｎの変成器９が接続されている。制御装置１には、異常時にその個所を表示する表示器１０と、点検指令を出力する操作機器１１が接続されている。
【００１３】
第１、第２、第ｎの変成器７、８、９は、図２に示すように、第１の変成器７が受電側となる上位の第１の電力系統１２に接続されている。第２の変成器８は、第１の電力系統１２の下位に位置する第２の電力系統１３に接続されている。第ｎの変成器９は、第２の電力系統１３の下位に位置し負荷側となる第ｎの電力系統１４に接続されている。これにより、それぞれの電力系統１２、１３、１４の保護がそれぞれの保護継電器２、３、４で実行される。
【００１４】
次に、点検時の動作について説明する。
【００１５】
図３に示すように、操作機器１１から制御装置１に、時限動作の点検を入力すると（ｓ１）、先ずＲ相の時限動作を行う（ｓ２）。時限動作不良の場合、Ｒ相の瞬時動作検出を行う（ｓ３）。瞬時動作も不良の場合、不動作検出をし（ｓ４）、点検中の保護継電器の不良表示（ｓ５）を表示器１０に表示し、点検シーケンスを終了する（ｓ６）。そして、操作機器１１の歩進ボタン（ｓ７）を操作し、次の保護継電器の点検に移る（ｓ８）。
【００１６】
また、瞬時動作検出（ｓ３）で動作する場合においても、時限動作が不良であるので、点検中の保護継電器の不良表示（ｓ５）をする。以降、ｓ６〜ｓ８の処理を行う。点検中の保護継電器の不良表示（ｓ５）があった場合、後述するＣの処理をする。
【００１７】
Ｒ相の時限動作（ｓ２）で動作する場合、制御装置１からの復帰指令を受け（ｓ９）、復帰動作を確認する（ｓ１０）。復帰しない場合、復帰不良を検出し（ｓ１１）、点検中の保護継電器の不良表示を行い（ｓ１２）、点検シーケンスを終了する（ｓ１３）。そして、歩進ボタン（ｓ１４）を操作し、点検シーケンスをリセット（ｓ１５）する。これにより、常時監視による復帰不良検出（ｓ１６）をし、常時監視による復帰不良表示（ｓ１７）を表示器１０に表示する。なお、点検中の保護継電器の不良表示（ｓ１２）があった場合、後述するＣの処理をする。
【００１８】
Ｒ相が復帰動作（ｓ１０）する場合、Ｓ相の時限動作（ｓ１８）に移り、動作しない場合にはＡの処理、即ち、Ｒ相と同様の瞬時動作検出（ｓ３）を行う。以降、ｓ４〜ｓ８の処理を行う。時限動作（ｓ１８）をする場合、復帰指令を受け（ｓ１９）、復帰動作を確認する（ｓ２０）。復帰しない場合、Ｂの処理、即ち、Ｒ相と同様の復帰不良検出（ｓ１１）を行う。以降、ｓ１２〜ｓ１７の処理を行う。
【００１９】
Ｓ相が復帰動作（ｓ２０）する場合、Ｔ相の時限動作（ｓ２１）に移り、動作しない場合にはＡの処理、即ち、Ｒ相と同様の瞬時動作検出（ｓ３）を行う。以降、ｓ４〜ｓ８の処理を行う。時限動作（ｓ２１）をする場合、復帰指令を受け（ｓ２２）、復帰動作を確認する（ｓ２３）。復帰しない場合、Ｂの処理、即ち、Ｒ相と同様の復帰不良検出（ｓ１１）を行う。以降、ｓ１２〜ｓ１７の処理を行う。Ｔ相が復帰動作した場合、次の保護継電器の点検に移る（ｓ８）。以降、上述のフローを繰り返し行い、設備の保護継電器を一括して点検する。
【００２０】
次に、点検中の保護継電器の不良表示（ｓ５、ｓ１２）があった場合のＣの処理について説明する。
【００２１】
図４に示すように、保護継電器の不良表示（ｓ５、ｓ１２）が出されると、異常検出（ｓ２４）とし、重要回線か否かを判定する（ｓ２５）。重要回線と判定されると、切替装置６により、当該保護継電器を切離し、バックアップ用保護継電器５に自動切替えを行う（ｓ２６）。これにより、回線を停電させることなく給電が継続される（ｓ２７）。なお、重要回線ではないと判定されると、当該回線を遮断し（ｓ２８）、正常品との交換、点検などが行われる（ｓ２９）。
【００２２】
ここで、重要回線か否かの判定方法を図１、図２を参照して説明する。
【００２３】
第１、第２、第ｎの変成器７、８、９が接続されている第１、第２、第ｎの電力系統１２、１３、１４において、第１の変成器７からの電気量を受ける第１の保護継電器２が異常と検出されると、第１の電力系統１２は上位回線であり重要と判定し、第１の保護継電器２を切離し、バックアップ用保護継電器５に切替える。また、第１の保護継電器２が正常であり、第２の保護継電器３が異常と検出されると、上記と同様に、バックアップ用保護継電器５に切替えられる。第１、第２の保護継電器２、３が正常であり、第ｎの保護継電器４が異常であれば、第ｎの電力系統１４は遮断されるものとなる。即ち、上位回線を重要回線と判定する。
【００２４】
更には、下位の第ｎの電力系統１４に接続されているものでも、非常用電源回路や計算機電源回路のようなものは、重要回線と判定し、異常が検出されると、当該保護継電器を切離し、バックアップ用保護継電器５に切替えるものとする。なお、バックアップ用保護継電器５は、複数用いることができ、複数の異常に対応することができる。
【００２５】
上記実施例の保護継電器の点検装置によれば、制御装置１にバックアップ用保護継電器５を接続し、第１、第２、第ｎの電気系統１２、１３、１４に接続されている第１、第２、第ｎの保護継電器２、３、４の点検を行い、これらに異常が検出された場合、重要回線か否かを判定し、重要回線と判定されると、当該保護継電器を切離し、バックアップ用保護継電器５に切替えるようにしているので、重要回線では停電をさせることなく、保護機能を有して給電を継続することができる。
【符号の説明】
【００２６】
１  制御装置
２  第１の保護継電器
３  第２の保護継電器
４  第ｎの保護継電器
５  バックアップ用保護継電器
６  切替装置
７  第１の変成器
８  第２の変成器
９  第ｎの変成器
１０  表示器
１１  操作機器
１２  第１の電力系統
１３  第２の電力系統
１４  第ｎの電力系統
【図１】
2011229257.tif 000003
【図２】
2011229257.tif 000004
【図３】
2011229257.tif 000005
【図４】
2011229257.tif 000006